【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
電気装置への電気の供給を制御するように、パーソナルコントローラとの無線通信を通じて前記電気装置を制御するための電源制御デバイスであって、前記パーソナルコントローラが、プロセッサと、ユーザーインターフェースと、無線通信トランシーバとを有し、
前記デバイスが、
前記パーソナルコントローラとの無線通信のために作動可能である無線制御モジュールであって、前記無線制御モジュールが、アンテナと、無線インターフェース回路と、メモリと、無線トランシーバと、マイクロコントローラとを含み、前記マイクロコントローラが、第１のモードにおいて、前記パーソナルコントローラと通信するためにピアツーピア通信標準を使用して前記無線制御モジュールを作動させるように構成され、前記マイクロコントローラが、第２のモードにおいて、ＷＬＡＮのネットワークアクセスポイントと通信するためにピアツーピア以外の通信標準を使用して前記無線制御モジュールを作動させるように構成されている、無線制御モジュールと、
前記無線制御モジュールを通じて、前記パーソナルコントローラから通信された命令に少なくとも部分的に基づいて、前記電気装置への前記電気の供給を変動させるように構成される電源制御回路と、
を備える、デバイス。
【請求項２】
前記マイクロコントローラは、一度に１つのモードで前記無線制御モジュールを作動させるように構成される、請求項１に記載のデバイス。
【請求項３】
前記マイクロコントローラは、同時に両方のモードで前記無線制御モジュールを作動させるように構成される、請求項１に記載のデバイス。
【請求項４】
前記無線トランシーバは、複数の接続を含む、請求項３に記載のデバイス。
【請求項５】
前記無線制御モジュールは、第２の無線トランシーバを含む、請求項１に記載のデバイス。
【請求項６】
前記マイクロコントローラは、第１のモードにおいて前記無線トランシーバを作動させ、第２のモードにおいて前記第２の無線トランシーバを作動させるように構成される、請求項５に記載のデバイス。
【請求項７】
前記無線制御モジュールは、前記パーソナルコントローラと通信するために、ネットワークアクセスポイントをシミュレーションするように作動可能である、請求項１に記載のデバイス。
【請求項８】
前記マイクロコントローラは、前記パーソナルコントローラとのリンクを初めて確立する際に、前記第１のモードで前記パーソナルコントローラと通信するように構成される、請求項１に記載のデバイス。
【請求項９】
前記マイクロコントローラは、前記無線トランシーバが前記第２のモードで作動するように、前記パーソナルコントローラからの命令の受信時に、前記第１のモードから前記第２のモードへ変更するように構成される、請求項１に記載のデバイス。
【請求項１０】
第２のマイクロコントローラをさらに備え、前記第２のマイクロコントローラは、前記電気装置への前記電気の供給を変動させるために、前記電源制御回路へコマンドを発行するように構成される、請求項１に記載のデバイス。
【請求項１１】
前記マイクロコントローラは、前記第１のモードにおいて、前記パーソナルコントローラと通信するためにＷｉ−Ｆｉダイレクトを使用して、前記無線トランシーバを作動させるように構成される、請求項１に記載のデバイス。
【請求項１２】
前記マイクロコントローラは、前記第２のモードにおいて、前記パーソナルコントローラと通信するためにＷＬＡＮを使用して、前記無線トランシーバを作動させるように構成される、請求項１に記載のデバイス。
【請求項１３】
前記マイクロコントローラは、前記電源制御デバイスの動作を前記第１のモードから前記第２のモードへ変更するために、アプリケーションプログラムからのコマンドを実装するように構成される、請求項１に記載のデバイス。
【請求項１４】
電気装置への電気の供給を制御するために、パーソナルコントローラとの無線通信リンクを通じ、前記電気装置を制御するための電源制御デバイスであって、前記パーソナルコントローラが、プロセッサと、ユーザーインターフェースと、無線通信トランシーバとを有し、
前記デバイスが、
前記パーソナルコントローラとの無線通信のために作動可能である、複数の無線制御モジュールであって、前記無線制御モジュール各々が、無線インターフェース回路と、無線トランシーバと、メモリと、を含む、複数の無線制御モジュールと、
前記パーソナルコントローラと通信するために、ピアツーピア通信標準を使用して、前記無線制御モジュールのうちの第１を作動させるように構成されるマイクロコントローラであって、前記マイクロコントローラは、ＷＬＡＮのネットワークアクセスポイントと通信するために、ピアツーピア以外の通信標準を使用して、前記無線制御モジュールのうちの第２を作動させるように構成され、前記マイクロコントローラは、１度に１つ、または同時に、前記第１および第２の無線制御モジュールを作動させるように構成される、マイクロコントローラと、
前記制御モジュールを通じて、前記パーソナルコントローラから通信された命令に少なくとも部分的に基づいて、前記電気装置への前記電気の供給を変動させるように構成される電源制御回路と、
を備える、デバイス。
【請求項１５】
前記マイクロコントローラは、１度に前記第１および第２の無線制御モジュールのうちの１つを作動させることから、同時に前記第１および第２の無線制御モジュールを作動させることに切り替えるために、アプリケーションプログラムからのコマンドを実装するように構成される、請求項１４に記載のデバイス。
【請求項１６】
前記マイクロコントローラは、前記パーソナルコントローラとのリンクを初めて確立する際に、前記ピアツーピア通信標準を使用して前記パーソナルコントローラと通信するように構成される、請求項１４に記載のデバイス。
【請求項１７】
前記マイクロコントローラは、前記電気装置への前記電気の供給を変動させるために、前記電源制御回路を直接制御するように構成される、請求項１または請求項１４に記載のデバイス。
【請求項１８】
前記マイクロコントローラは、前記パーソナルコントローラと通信するためにＷｉ−Ｆｉダイレクトを使用して前記第１の無線制御モジュールを作動させるように構成される、請求項１４に記載のデバイス。
【請求項１９】
前記マイクロコントローラは、前記パーソナルコントローラと通信するためにＷＬＡＮを使用して前記第２の無線制御モジュールを作動させるように構成される、請求項１４に記載のデバイス。
【請求項２０】
前記マイクロコントローラは、前記パーソナルコントローラと通信するためにＢｌｕｅｔｏｏｔｈ（登録商標）を使用して前記第１の無線制御モジュールを作動させるように構成される、請求項１４に記載のデバイス。
【請求項２１】
前記マイクロコントローラは、前記パーソナルコントローラと通信するためにネットワークアクセスポイントをシミュレーションすることにより前記第１の無線制御モジュールを作動させるように構成される、請求項１４に記載のデバイス。
【請求項２２】
前記電源制御デバイスは、前記電気装置と一体化している、請求項１４に記載のデバイス。
【請求項２３】
電気装置への電気の供給を制御するために、前記電気装置を遠隔制御するための方法であって、
第１の通信モードにおいて、パーソナルコントローラと、前記電気装置への前記電気の供給を制御する電源制御デバイスとの間で双方向のピアツーピア無線通信リンクを初期化することと、
前記電源制御デバイスにおいて、
前記電源制御デバイスと前記パーソナルコントローラとの間の前記第１の通信モードを維持すること、または
ピアツーピア以外の通信リンクを使用して、前記電源制御デバイスと前記パーソナルコントローラとの間の第２の通信モードへ変更することのいずれかのために、命令を受信することと、
前記電源制御デバイスにおいて、前記電気装置への前記電気の供給を変動させるために、前記通信モードのうちの１つを使用して、前記パーソナルコントローラからの命令を受信することと、
前記命令に従って、前記電気装置への前記電気の供給を変動させることと、
を含む、方法。
【請求項２４】
前記電源制御デバイスは、前記第１の通信モードでの作動時に、前記パーソナルコントローラとの接触を開始するために、必ずディスカバリメッセージを送信する、請求項２３に記載の方法。
【請求項２５】
前記第２の通信モードは、ＷＬＡＮを利用する、請求項２３に記載の方法。
【請求項２６】
前記第１の通信モードは、前記電源制御デバイスと前記パーソナルコントローラとの間で維持され、前記電源制御デバイスを通じて、前記パーソナルコントローラの前記ＷＬＡＮへのアクセスを拒否することをさらに含む、請求項２５に記載の方法。
【請求項２７】
パーソナルコントローラとの無線通信リンクを通じて電気装置を制御するためのデバイスであって、前記パーソナルコントローラは、プロセッサと、ユーザーインターフェースと、無線通信トランシーバとを有し、
前記デバイスは、
前記パーソナルコントローラとの無線通信のために作動可能である無線制御モジュールであって、前記無線制御モジュールが、アンテナと、無線インターフェース回路と、２つの無線トランシーバと、マイクロコントローラとを含み、前記マイクロコントローラが、第１のモードにおいて、前記パーソナルコントローラと通信するためにピアツーピア通信標準を使用して前記無線制御モジュールを作動させるように構成され、前記マイクロコントローラが、第２のモードにおいて、ピアツーピア以外の通信標準を使用して前記無線制御モジュールを作動させるように構成されている、無線制御モジュールと、
前記無線制御モジュールを通じて、前記パーソナルコントローラから通信された命令に少なくとも部分的に基づいて、前記電気装置を制御するように構成される制御回路と、
を備える、デバイス。
【請求項２８】
商用または住宅構造において少なくとも１つの環境制御を自動的に調整するための方法であって、
パーソナルコントローラの地理的位置を電子的に判定することと、
前記パーソナルコントローラに、前記パーソナルコントローラの前記地理的位置に基づいて構成される環境制御プログラムをダウンロードすることと、
前記環境制御への前記電気の供給を変動させるように構成されるマイクロコントローラと電源制御回路とを有する、電源制御装置へ、前記環境制御プログラムの少なくとも一部を転送することと、
を含む、方法。
【請求項２９】
商業または住宅構造において少なくとも１つの環境制御を、パーソナルコントローラを用いて、自動的に調整するためのシステムであって、
前記パーソナルコントローラとの無線通信のために動作可能である無線制御モジュールであって、前記パーソナルコントローラと通信するためにピアツーピア通信標準を使用して前記無線制御モジュールを作動させるように構成されたマイクロコントローラを含む、無線制御モジュールと、
前記無線制御モジュールの前記マイクロコントローラを通じて、前記パーソナルコントローラから通信された命令に少なくとも部分的に基づいて、前記環境制御への前記電気の供給を変動させるように構成された電源制御回路であって、前記命令は、前記無線制御モジュールの前記地理的位置を含むデータに少なくとも部分的に基づく、電源制御回路と、を備える、
システム。
【請求項３０】
商業または住宅構造の照明ゾーンの照明への電気の提供を変動させるように構成されたプログラムをプレビューするための方法であって、
パーソナルコントローラと、前記照明ゾーンに組み込まれた前記照明への前記電気の供給を変動させるように適合されたマイクロコントローラと電源制御回路とを有する電源制御装置との間のピアツーピア通信リンクを確立することと、
前記照明ゾーンの前記照明を制御するための前記プログラムであって、前記パーソナルコントローラを通じて入力された前記時間ベースのパラメータに従って実時間速度で前記照明への電気の供給を変動させることを前記電源制御装置に命令するように構成された前記プログラムを変更するために、前記パーソナルコントローラに時間ベースのパラメータを入力することと、
前記プログラムされた照明の変動をプレビューするために、前記プログラムの実時間速度よりも高速の速度で、前記照明への電気の供給を変動させるように、前記パーソナルコントローラから前記電源制御装置へリクエストを伝送することと、
を含む、方法。
【請求項３１】
少なくとも１つの電気システムへの電気の供給を制御するために、無線通信リンクを通じてパーソナルコントローラを用いて商業または住宅構造内に配線された前記少なくとも１つの電気システムを制御するためのシステムであって、前記パーソナルコントローラは、プロセッサと、ユーザーインターフェースと、無線通信トランシーバとを有し、
前記システムが、
前記パーソナルコントローラとの無線通信のために動作可能である無線制御モジュールであって、前記パーソナルコントローラと通信するためにピアツーピア通信標準を使用して前記無線制御モジュールを作動させるように構成されたマイクロコントローラを含む、無線制御モジュールと、
前記無線制御モジュールを通じて、前記パーソナルコントローラから通信された命令に少なくとも部分的に基づいて、前記少なくとも１つの電気システムへの前記電気の供給を変動させるように構成される内部電源制御回路と、
を含む、電源制御装置と、
前記商業または住宅構造の前記配線の少なくとも一部に統合された外部電源制御回路であって、前記無線制御モジュールを通じて、前記パーソナルコントローラから通信された命令の少なくとも一部に基づいて前記少なくとも１つの電気システムへの前記電気の供給を変動させるように構成される、外部電源制御回路と、
前記電源制御装置と前記外部電源制御回路との間の通信リンクであって、前記電源制御装置の前記マイクロコントローラが、前記内部および外部電源制御回路を選択的に作動させるように構成される、通信リンクと、
を備える、システム。
【請求項３２】
パーソナルコントローラを用いて、入口でアクセスを防止するための少なくとも１つの閉鎖機構を作動させるためのシステムであって、
前記システムが、
前記パーソナルコントローラとの無線通信のために動作可能である無線制御モジュールであって、前記パーソナルコントローラと通信するためにピアツーピア通信リンクを使用して前記無線制御モジュールを作動させるように構成されたマイクロコントローラを含む、無線制御モジュールと、
前記無線制御モジュールの前記マイクロコントローラを通じて、前記パーソナルコントローラから通信された命令に少なくとも部分的に基づいて、前記閉鎖機構への前記電気の供給を変動させるように構成された電源制御回路であって、前記マイクロコントローラが、ネットワークアクセスポイントをシミュレーションするように前記無線制御モジュールを作動させることにより、前記パーソナルコントローラとの前記ピアツーピア通信リンクを確立するように構成されている、
システム。